(57)【特許請求の範囲】
【請求項１】
車体上に運搬車両を搭載する荷台が設けられ、この荷台が車体に対し車体前後方向へスライド移動可能にかつ車体後方へ傾斜可能に支持されており、荷台を車体後方へスライド移動させかつ傾斜させることによって荷台の後端を地面に接地させ、この状態で、荷台上に運搬車両が積み降ろし可能に搭載されるようにした車両運搬車であって、
上記荷台の側部には、車体外側方からの巻き込みをガードしかつ足掛けステップを兼ねるサイドバンパが取り付けられ、このサイドバンパは、上記荷台下方のタイヤよりも外側方に位置していることを特徴とする車両運搬車。
【請求項２】
請求項１に記載の車両運搬車において、
上記サイドバンパは、上記荷台より下方に延びる複数の吊下部と、その各吊下部の下端を上記荷台に沿って車体前後方向へ延びる延伸部とからなることを特徴とする車両運搬車。
【請求項３】
請求項２に記載の車両運搬車において、
上記各吊下部の上端は、上記荷台に固着されていることを特徴とする車両運搬車。
【発明の詳細な説明】
【０００１】
【発明の属する技術分野】
本発明は、車両等を荷台に積み降ろしする際に、荷台を車体後方へスライド移動させかつ傾斜させるようにした荷台移動式の車両運搬車に関し、特に、車両を積み降ろしする際の作業性の向上を図る対策に係わる。
【０００２】
【従来の技術】
一般に、このような車両運搬車としては、荷台を車体フレームに対し車体前後方向へスライド移動可能にかつ車体後方へ傾斜可能に支持し、荷台を車体フレームに対し車体後方へスライド移動させかつ傾斜させることによって荷台の後端を地面に接地させ、この状態で、自力走行又はウィンチなどによる牽引移動によって運搬車両が荷台上に積み降ろし可能に搭載されるようにしている。
【０００３】
そして、このような車両運搬車にあっては、車体フレームより車幅方向左右にそれぞれに突出するステーを介してサイドバンパが取り付けられており、車体外側方からの巻き込みをガードできるようにしている。
【０００４】
【発明が解決しようとする課題】
ところで、荷台に積み込まれた車両（運搬車両）は、荷台に対しワイヤや輪留めなどの固縛手段によって移動不能に固縛する必要があり、作業者自らが荷台に乗り移って固縛作業を行うようにしている。
【０００５】
その場合、上記従来の車両運搬車では、荷台の後端を地面に接地させた傾斜状態で車両の積み降ろしが行われることになるが、このように傾斜している荷台の付近には足場となるべきものが存在しないため、作業者が荷台に乗り移るのが非常に困難となり、車両を積み降ろしする際の作業性が悪いものとなる。
【０００６】
一方、サイドバンパは、車体フレームから車幅方向左右にそれぞれに突出させる上で左右に張り出すステーを必要とするため、取付時には荷台の下方に潜り込んでの作業が余儀なくされて取付作業が非常に煩わしいものとなる上、このステーによって部品点数が嵩んでサイドバンパのコストアップにつながるといった欠点もある。
【０００７】
本発明は、かかる点に鑑みてなされたものであり、その目的とするところは、車両を積み降ろしする際の作業性を向上させるとともに、サイドバンパの取付作業の簡単化およびサイドバンパのコストダウンを図ることができる車両運搬車を提供することにある。
【０００８】
【課題を解決するための手段】
本発明が講じた解決手段は、車体上に運搬車両を搭載する荷台が設けられ、この荷台が車体に対し車体前後方向へスライド移動可能にかつ車体後方へ傾斜可能に支持されており、荷台を車体後方へスライド移動させかつ傾斜させることによって荷台の後端を地面に接地させ、この状態で、荷台上に運搬車両が積み降ろし可能に搭載されるようにした車両運搬車を前提とし、上記荷台の側部に、車体外側方からの巻き込みをガードしかつ足掛けステップを兼ねるサイドバンパを取り付け、このサイドバンパを、上記荷台下方のタイヤよりも外側方に位置させる構成としたものである。
また、上記サイドバンパを、上記荷台より下方に延びる複数の吊下部と、その各吊下部の下端を上記荷台に沿って車体前後方向へ延びる延伸部とからなる構成としたものである。
更に、上記各吊下部の上端を、上記荷台に固着している。
【０００９】
これにより、荷台に積み込まれた車両（運搬車両）を荷台に対しワイヤや輪留めなどの固縛手段によって移動不能に固縛する場合には、荷台と共に傾斜するサイドバンパを足掛けステップとして利用することで、作業者が荷台に乗り移る際の足場代わりとなり、傾斜している荷台への乗り移りが非常にスムーズに行えて、車両を積み降ろしする際の作業性を向上させることが可能となる。
【００１０】
また、サイドバンパが荷台の側部に取り付けられていることにより、サイドバンパを車体フレームに取り付ける上で必要であったステーが不要となる。このため、サイドバンパの取付時に荷台下方への潜り込んで取付作業を行う必要がなく、取付作業を簡単に行えることになる。しかも、ステーを不要にしてサイドバンパの部品点数の削減化が図れ、これによってサイドバンパのコストダウンを図ることが可能となる。
【００１１】
【発明の実施の形態】
以下、本発明の実施の形態を図面に基づいて説明する。
【００１２】
図１および図２は本発明の実施形態に係わる車両運搬車を示し、この車両運搬車１は、その車体としての車体枠１１の前部上にキャビン１２を備えている。この車体枠１１の後部上には、枢軸１３を介して車体後方に傾動自在に支持された支持枠１４が設けられている。この支持枠１４上には、荷台１５が車体前後方向にスライド移動自在に搭載されている。車体枠１１と支持枠１４との間には、車体枠１１に対し支持枠１４を傾動させる傾動シリンダ（図示せず）が設けられている。また、支持枠１４と荷台１５との間には、支持枠１４に対し荷台１５を車体前後方向にスライド移動させるスライドシリンダ（図示せず）が設けられている。そして、傾動シリンダおよびスライドシリンダをそれぞれ伸長動作させることで、図２に示すように、支持枠１４に伴って荷台１５が所定角度（たとえば１１°程度）傾斜した状態で、荷台１５の後端部が地上に接地するまで車体後方へスライド移動するようになされている。
【００１３】
また、図３および図４にも示すように、荷台１５の後端部には、左右一対の歩み板１６，１６が回動自在に支持されている。この各歩み板１６は、所定角度傾斜させた荷台１５の後端部を地面に接地させた状態で、車体後方へ上回りで回動して荷台１５の後端部と地上との間に掛け渡され、これによって、荷台１５に対し運搬車両（図示せず）が積み降ろし可能に搭載されるようになされている。さらに、荷台１５の床面１５ａの前側には、左右一対の輪留め１７，１７（図３に表れる）が取り付けられており、この各輪留め１７に運搬車両の前輪または後輪を押し当てて位置決めした状態で、図示しない車体後方からの別の輪留めやワイヤなどの固縛手段によって運搬車両を荷台１５上で移動不能に固縛するようにしている。
【００１４】
そして、上記荷台１５の左右両側部前側位置には、車体外側方からの巻き込みをガードするサイドバンパ２１がそれぞれ取り付けられている。この各サイドバンパ２１は、管状のパイプ材の前後両端をそれぞれ上方に屈曲させてなり、その前後の上端をそれぞれ荷台１５の左右両側端に溶接などによって固着されてなる。そして、各サイドバンパ２１の前後両端を除く中央部分は、荷台１５の床面１５ａと略平行に車体前後方向に延び、荷台１５に作業者が乗り込む際の足掛けステップとしての機能を併せもっている。
【００１５】
したがって、本実施形態では、荷台１５に積み込まれた運搬車両を荷台１５に対しワイヤや輪留めなどの固縛手段によって移動不能に固縛する場合には、荷台１５と共に傾斜するサイドバンパ２１の中央部分を足掛けステップとして利用することで、作業者が荷台１５に乗り移る際の足場代わりとなり、傾斜している荷台１５への乗り移りが非常にスムーズに行えて、運搬車両を積み降ろしする際の作業性を向上させることができる。
【００１６】
また、サイドバンパ２１が荷台１５の左右両側部に取り付けられていることにより、サイドバンパを車体枠に取り付ける上で必要であったステーが不要となる。このため、サイドバンパ２１の取付時に荷台１５下方への潜り込んで取付作業を行う必要がなく、取付作業を簡単に行うことができる。しかも、ステーを不要にしてサイドバンパ２１の部品点数の削減化が図れ、これによってサイドバンパ２１のコストダウンを図ることができる。
【００１７】
【発明の効果】
以上説明したように、本発明の車両運搬車によれば、荷台の側部に足掛けステップを兼用するサイドバンパを取り付けることで、傾斜状態の荷台に乗り移る際の足場代わりにサイドバンパを利用でき、車両を積み降ろしする際の作業性を向上させることができる。しかも、サイドバンパを車体フレームに取り付ける際のステーを不要にして、サイドバンパの取付作業を簡単に行うことができる上、サイドバンパの部品点数の削減化によるコストダウンを図ることができる。
【図面の簡単な説明】
【図１】本発明の実施形態に係わる車両運搬車の走行状態を示す側面図である。
【図２】車両運搬車の運搬車両の積み降ろし状態を示す側面図である。
【図３】車両運搬車の走行状態を示す平面図である。
【図４】車両運搬車の走行状態を示す背面図である。
【符号の説明】
１            車両運搬車
１１          車体枠（車体）
１５          荷台
２１          サイドバンパ
【図１】
0004290863.tif 000002
【図２】
0004290863.tif 000003
【図３】
0004290863.tif 000004
【図４】
0004290863.tif 000005